(57)【要約】      （修正有）【課題】内蔵されるメモリ素子を挟持する第１の支持部材と第２の支持部材が離間した場合でも、前記第１のケース部材、及び第２のケース部材の外に前記メモリ素子が出てしまうことを防ぎ、前記メモリ素子を適正な位置に保持することができる磁気テープカートリッジ用ケース。【解決手段】第１の支持部材と共にメモリ素子を挟持する第２の支持部材３０は、メモリ素子の他方の面を保持する第１の支持面３０ａと、該第１の支持面よりも壁部３ｂ側に形成された第２の支持面３０ｂと、該第２の支持面、及び壁部によって形成される溝部３ｃとを有し、第１の支持面は、第１の支持部材の斜面が第１のケース部材の底面に対してなす角度θ１と略等しい俯角をなし、第２の支持面は、第２のケース部材３の底面３ａに対する俯角が前記角度θ１よりも大に設定されている。【選択図】図５Ａ
2008117478.tif 000002
【特許請求の範囲】
【請求項１】
矩形をなす底面の周縁部に、該底面を囲繞するように壁部が立設されてなる第１のケース部材と、
矩形をなす底面の周縁部に、該底面を囲繞し、前記壁部の端面と当接可能な端面を有する壁部が立設されてなる第２のケース部材と、
前記第１のケース部材の壁部の端面と、第２のケース部材の壁部の端面とを接合させることによって、磁気テープを巻装したリールを収納する第１の収納部が形成され、
前記第１のケース部材の壁部の端面と、第２のケース部材の壁部の端面とを接合させることによって形成される前記第１の収納部と異なる第２の収納部に収納される略板形状をなすメモリ素子の一方の面が、前記第１のケース部材の底面に対して前記第１のケース部材の壁部方向に所定の仰角をなすように、前記メモリ素子の一方の面を保持する第１の支持部材と、
前記第２のケース部材の底面から前記第２の収納部側に立設され、前記メモリ素子の他方の面を保持する第２の支持部材とを有する磁気テープカートリッジ用ケースであって、
前記第２の支持部材は、前記第２のケース部材の底面に対して第２のケース部材の壁部方向に、前記所定の仰角と略同じ角度とされた俯角をなして前記メモリ素子の他方の面を保持する第１の支持面と、該第１の支持面よりも前記壁部側に形成され、前記俯角よりも大きな俯角をなし、前記壁部において端面よりも底面側に接続される第２の支持面とを有することを特徴とする磁気テープカートリッジ用ケース。
【請求項２】
第１の支持面に載置されたときのメモリ素子の重心が、該第１の支持面よりも第２のケース部材の壁部側である請求項１に記載の磁気テープカートリッジ用ケース。
【請求項３】
第２の支持面が、複数の支持面からなる請求項１から２のいずれかに記載の磁気テープカートリッジ用ケース。
【請求項４】
請求項１から３のいずれかに記載の磁気テープカートリッジ用ケースと、
第１の収納部に収納され、磁気テープを巻装したリールとを有することを特徴とする磁気テープカートリッジ。
【請求項５】
第１のケース部材の底面に対して、一方の面が前記第１のケース部材の壁部方向に所定の仰角をなすように、略板形状をなすメモリ素子が第２の収納部内に設置された請求項４に記載の磁気テープカートリッジ。
【発明の詳細な説明】
【技術分野】
【０００１】
本発明は、磁気テープカートリッジ用ケース、及び磁気テープカートリッジに関し、特に、磁気テープが巻装されたリールを収納する収納部を有し、該収納部とは別に、前記磁気テープに関する情報を記録するメモリ素子が設置される磁気テープカートリッジ用ケース、及び磁気テープカートリッジに関する。
【背景技術】
【０００２】
従来、コンピュータ等の外部記憶装置に用いられる記録媒体として使用されている磁気テープカートリッジには、単一のリールに磁気テープを巻装し、このリールをカートリッジケース内に回転自在に収容したタイプのものが知られている。
コンピュータ等のデータを保存する媒体として用いられる前記磁気テープには、重要な情報が記憶されているため、テープジャミング等のトラブルが発生しないように、また、磁気テープが不用意に引き出されないように構成されている。
【０００３】
また、前記磁気テープカートリッジには、磁気テープに記録された情報の内容や、磁気テープの種類等が記録されたメモリ素子が内蔵されている。即ち、該メモリ素子に記録された情報を読み取ることによって、同梱された磁気テープに記録された情報を直接読み出すことなく、簡潔かつ迅速に特定することができる。
前記メモリ素子には、半導体のチップが設けられており、同梱された磁気テープに記録された情報等が電磁誘導等の非接触方式にて記録され、メモリ素子に記録された内容は同様に非接触方式にて読み出されることとなる。
【０００４】
磁気テープカートリッジに内蔵される前記メモリ素子は、前記リールの回転を妨げない部分に設けられる。また、前記メモリ素子は、磁気テープカートリッジを使用する外部記憶装置等の記録再生装置が、当該メモリ素子に対して問題なく情報の読み書きを行うことができるように、予め規定された角度で設置されている。その設置態様としては、例えば、２つのケース部材にそれぞれ設けられた支持部材によってメモリ素子が挟持されるように構成されている（特許文献１〜２参照）。
【０００５】
特許文献１では、第２のセクション１４に形成され、メモリチップ５０を予め規定された角度に支持するために、当該メモリチップ５０の一方の面を支持する傾斜表面３２と、第１のセクション１３に形成され、傾斜表面３２によって前記角度が設定されたメモリチップ５０の他方の面を支持するチップ保持支柱４０とを有する構成をなしている。
また、特許文献２では、下ケース１ｂに形成され、メモリー基板２０を予め規定された角度に支持するために、当該メモリ基板２０の一方の面を支持する支持板２５と、上ケース１ａに形成され、支持板２５によって前記角度が設定されたメモリ基板２０が、下ケース１ｂの振動などで起立してしまった場合に、メモリ基板２０の他方の面を前記角度と対向する角度で支持する押さえ板２３とを有する構成をなしている。
【０００６】
また、特許文献３に示すように、一般的な磁気テープカートリッジにおいては、磁気テープが巻回されたリールが不使用時に回転し、ジャミングが発生することを防ぐために、後述するギアと連動させた弾性体が設けられており、該弾性体によって前記リールが付勢された構成を採用している。
【０００７】
したがって、磁気テープカートリッジの組み立て時において、磁気テープカートリッジの筐体を構成する第１のケース部材と第２のケース部材とを仮接合状態（両ケース部材をねじなどにより固定する前に、仮に重ね合わせた状態）しているとき、磁気テープカートリッジに内蔵される弾性体が、前記リールを介して、前記第１のケース部材、及び第２のケース部材に付勢することによって、前記第１のケース部材と、第２のケース部材とを離間させることがあり、このときに生じた間隙からメモリ素子が脱出してしまう虞があった。
また、メモリ素子が、磁気テープから脱出しなくとも、位置決めが確実になされないままで、磁気テープカートリッジの内部に形成された部材によって挟まれた場合には、製品として流通した初期に、記録不良などの問題が生じなくても、挟まれた際の損傷などでメモリ素子の表面上に形成された保護層の劣化が進み、記録不良などの問題が後に発生する虞があった。
【０００８】
また、特許文献１に記載の「データ格納カートリッジ」では、第１のセクション１３と、第２のセクション１４とを固着するために、第１のセクション１３に形成された開口６２を貫通させたねじ（不図示）を、第２のセクション１４に形成された開口２０ａに螺合するように構成されているため、「データ格納カートリッジ」を組み立てる際、メモリチップ５０を設置する工程における第１のセクション１３、及び第２のセクション１４の位置関係と、第１のセクション１３、及び第２のセクション１４をねじによって固定する工程における第１のセクション１３、及び第２のセクション１４の位置関係とが逆となる。
このように、メモリ素子を載置する工程と、２つのケース部材とをねじによって接合する工程とにおける２つのケース部材の位置関係が逆であると、仮接合された２つのケース部材を反転させる工程が生じるため、前述の間隙が形成される可能性は高くなる。
ここで、前記間隙が形成されることを防止するために、仮接合された２つのケース部材が離間しないように挟持しながら反転させる工程を行うことも考えられるが、２つのケース部材を挟持する際に加えられる応力により、各ケース部材を損傷させる虞があるため、好ましくはなかった。
【０００９】
したがって、２つのケース部材にそれぞれ設けられた支持部材によって挟持されることによって、規定の角度でメモリ素子が設置される態様をなす磁気テープカートリッジにおいて、第１のケース部材と、第２のケース部材とが離間した場合でも、前記第１のケース部材、及び第２のケース部材の外に前記メモリ素子が出てしまうことを防ぎ、前記メモリ素子を適正な位置に保持することができる磁気テープカートリッジ用ケース、及び磁気テープカートリッジは未だ実現されておらず、その提供が望まれているのが現状である。
【００１０】
【特許文献１】特開２００１−２０２７４５号公報
【特許文献２】特開２００６−６５９２４号公報
【特許文献３】特開２００５−３２２４１２号公報
【発明の開示】
【発明が解決しようとする課題】
【００１１】
本発明は、従来における前記問題を解決し、以下の目的を達成することを課題とする。即ち、本発明は、内蔵されるメモリ素子の一方の面を支持する第１の支持部材が設けられた第１のケース部材と、前記メモリ素子の他方の面を支持し、前記第１の支持部材と共に前記メモリ素子を挟持する第２の支持部材が設けられた第２のケース部材とが離間した場合でも、前記第１のケース部材、及び第２のケース部材の外に前記メモリ素子が出てしまうことを防ぎ、前記メモリ素子を適正な位置に保持することができる磁気テープカートリッジ用ケース、及び磁気テープカートリッジを提供することを目的とする。
【課題を解決するための手段】
【００１２】
前記課題を解決するための手段としては、以下の通りである。即ち、
＜１＞  矩形をなす底面の周縁部に、該底面を囲繞するように壁部が立設されてなる第１のケース部材と、
矩形をなす底面の周縁部に、該底面を囲繞し、前記壁部の端面と当接可能な端面を有する壁部が立設されてなる第２のケース部材と、
前記第１のケース部材の壁部の端面と、第２のケース部材の壁部の端面とを接合させることによって、磁気テープを巻装したリールを収納する第１の収納部が形成され、
前記第１のケース部材の壁部の端面と、第２のケース部材の壁部の端面とを接合させることによって形成される前記第１の収納部と異なる第２の収納部に収納される略板形状をなすメモリ素子の一方の面が、前記第１のケース部材の底面に対して前記第１のケース部材の壁部方向に所定の仰角をなすように、前記メモリ素子の一方の面を保持する第１の支持部材と、
前記第２のケース部材の底面から前記第２の収納部側に立設され、前記メモリ素子の他方の面を保持する第２の支持部材とを有する磁気テープカートリッジ用ケースであって、
前記第２の支持部材は、前記第２のケース部材の底面に対して第２のケース部材の壁部方向に、前記所定の仰角と略同じ角度とされた俯角をなして前記メモリ素子の他方の面を保持する第１の支持面と、該第１の支持面よりも前記壁部側に形成され、前記俯角よりも大きな俯角をなし、前記壁部において端面よりも底面側に接続される第２の支持面とを有することを特徴とする磁気テープカートリッジ用ケースである。
該＜１＞に記載の磁気テープカートリッジ用ケースにおいては、該磁気テープカートリッジ用ケースに内蔵されるメモリ素子を、予め規定された角度に固定するために前記メモリ素子を挟持する第１の支持部材、及び第２支持部材のうち、第２の支持部材に、第２のケース部材の底面に対して前記予め規定された角度と同じ俯角をなす第１の支持面と、前記俯角よりも大の俯角をなす第２の支持面とが形成され、該第２の支持面が、前記第２の支持部材が形成される第２のケース部材の壁部に、該壁部の端面よりも底面側に接続されているので、第１の支持部材、及び第２支持部材によるメモリ素子の挟持状態が解除されたとき（第１のケース部材と第２のケース部材との間に間隙が形成されたとき）、メモリ素子は、まず、第１の支持面に沿って第２のケース部材の壁部方向に滑ることとなり、次いで、第１の支持面よりも急な角度に形成された第２の支持面に沿って滑り、該第２の支持面と、第２のケース部材の壁部とによって形成された溝部に滑落し、前記壁部に前記メモリ素子の一端面が当接するようにして収納されることになる。
このように、第１の支持面よりも大の俯角をなす第２の支持面が形成され、該第２の支持面が、第２のケース部材の壁部と共に溝部を形成するため、第１の支持部材と、第２の支持部材とによる挟持状態が解除されたメモリ素子が、第１の支持面、及び第２の支持面を滑った後、前記溝部に収納されることとなるので、メモリ素子が磁気テープカートリッジ用ケースの外に出てしまうことがない。
また、メモリ素子が第２の支持面に当接し、かつ第１の支持面と、第１の支持部材との間にメモリ素子の一部が介在している状態において、第１の支持部材、及び第２支持部材によってメモリ素子が再び挟持されたとき（第１のケース部材と第２のケース部材とが再び接合されたとき）には、該メモリ素子は、第２の支持面から起き上がり、第１の支持面と、第１の支持部材との間にメモリ素子が挟持されることとなり、結果として、予め規定された角度にメモリ素子を再び固定することができる。
＜２＞  第１の支持面に載置されたときのメモリ素子の重心が、該第１の支持面よりも第２のケース部材の壁部側である前記＜１＞に記載の磁気テープカートリッジ用ケースである。
該＜２＞に記載の磁気テープカートリッジ用ケースにおいては、第１の支持部材と第２の支持部材とによって挟持されたときのメモリ素子の重心が、第１の支持面よりも第２のケース部材の壁部側であることにより、第１の支持部材と、第２の支持部材（第１の支持面）とによってメモリ素子が挟持されなくなったときに、メモリ素子１００の重心が、メモリ素子１００と、第２の支持部材３０との接地面（第１の支持面３０ａ）より壁面３ｂ側にあることによって、メモリ素子１００の重心が、回転モーメントを生み、第２の支持面３０ｂに沿って壁面３ｂ側に滑落し易くなる。
したがって、第１の支持部材、及び第２の支持部材によってメモリ素子が挟持されなくなったとき、即ち、第１のケース部材と、第２のケース部材とが離間したときに、メモリ素子が第２の支持面を滑落して溝部に案内されやすくなる。
＜３＞  第２の支持面が、複数の支持面からなる前記＜１＞から＜２＞のいずれかに記載の磁気テープカートリッジ用ケースである。
＜４＞  前記＜１＞から＜３＞のいずれかに記載の磁気テープカートリッジ用ケースと、
第１の収納部に収納され、磁気テープを巻装したリールとを有することを特徴とする磁気テープカートリッジである。
＜５＞  第１のケース部材の底面に対して、一方の面が前記第１のケース部材の壁部方向に所定の仰角をなすように、略板形状をなすメモリ素子が第２の収納部内に設置された前記＜４＞に記載の磁気テープカートリッジである。
【発明の効果】
【００１３】
本発明によると、従来における諸問題を解決でき、内蔵されるメモリ素子の一方の面を支持する第１の支持部材が設けられた第１のケース部材と、前記メモリ素子の他方の面を支持し、前記第１の支持部材と共に前記メモリ素子を挟持する第２の支持部材が設けられた第２のケース部材とが離間した場合でも、前記第１のケース部材、及び第２のケース部材の外に前記メモリ素子が出てしまうことを防ぎ、前記メモリ素子を適正な位置に保持することができる磁気テープカートリッジ用ケース、及び磁気テープカートリッジを提供することができる。
【発明を実施するための最良の形態】
【００１４】
以下、本発明の磁気テープカートリッジ用ケース、及び磁気テープカートリッジについて図面を参照して説明する。
【００１５】
＜磁気テープカートリッジの構成＞
図１は、本発明の一実施形態における磁気テープカートリッジの構成を示す分解斜視図である。
図１に示すように、本実施形態における磁気テープカートリッジ１は、矩形をなし、開口部が形成された底面２ａの周縁部に、該底面２ａを囲繞するように壁部２ｂが立設されてなる第１のケース部材２と、矩形をなす底面３ａの周縁部に、該底面３ａを囲繞するように壁部３ｂが立設されてなる第２のケース部材３とから構成された磁気テープカートリッジ用ケースと、壁部２ｂと壁部３ｂとを対向させ、接合することによって、底面２ａ、及び底面３ａのそれぞれに形成された隔壁Ｓｐによって形成される第１の収納部Ｓ１に回転可能に収納され、磁気テープ１０を巻装したリール４と、壁部２ｂと壁部３ｂとを対向させ、接合したときに、隔壁Ｓｐと、壁部２ｂ，３ｂとによって、第１の収納部Ｓ１とは別に区画された第２の収納部Ｓ２に収納される非接触式メモリ素子（Ｍｅｍｏｒｙ  Ｉｎ  Ｃａｒｔｒｉｄｇｅ、以下、ＭＩＣとする。）１００とを有する。
なお、図示はしないが、本発明に係る磁気テープカートリッジ用ケースにおいて、第１のケース部材２と、第２のケース部材３とを接合するための接合手段であるねじ、及びねじ孔のうち、ねじ孔は、第２のケース部材３に数箇所形成されており、第１のケース部材２には、固定手段である前記ねじの頭部を係止する貫通孔が前記ねじ孔に対応して形成されている。
したがって、本実施例において第１のケース部材２と、第２のケース部材３とを接合する場合には、第１のケース部材２を下側にして、ＭＩＣ１００を設置し、壁部２ａと、壁部３ａとを当接させて第１のケース部材２と、第２のケース部材３とを仮接合させた後、仮接合された第１のケース部材２、及び第２のケース部材３を反転させて第２のケース部材３を下側にして、第１のケース部材２に形成された貫通孔にねじを挿嵌させ、該ねじの頭部を前記貫通孔に係止させつつ、前記貫通孔に対応した前記ねじ孔にねじを螺合させることによってなされることとなる。
【００１６】
［リールの構成］
リール４は、第１のリール部材５と、第２のリール部材６とを超音波溶着により結合して形成された単一のリールであり、該リール４には、磁気テープ１０が巻装されている。
第１のリール部材５は、外周に磁気テープ１０が巻回される円筒状のリールハブ５ａと、リールハブ５ａの下端外周から径方向に張り出したフランジ部５ｂとを合成樹脂により一体成型したものである。
リールハブ５ａの底部外面には、リール４を回転駆動するマグネット式の回転駆動手段を接合させるためのリールプレート７が取り付けられている。
また、リールハブ５ａの底部内面には、ブレーキボタン８に形成された制止用ギア８ａと係合して不使用時の回転を拘束する制止用ギア５ａ１が刻設されている。
また、リールハブ５ａには、開口部５ａ２が形成されており、この開口部５ａ２に、磁気テープカートリッジ１を使用する外部記憶装置等の記録再生装置（図示せず）に設けられたドライブ解除スピンドルが挿通されることによって、ブレーキボタン８を上方に移動せしめる。
【００１７】
ブレーキボタン８には、リールハブ５ａと対向する側に上述した制止用ギア８ａが形成されており、それとは反対側に第２のケース部材３に形成されたブレーキガイド突起（図示せず）が嵌合される嵌合溝８ｂが形成されている。
したがって、本発明の磁気テープカートリッジ１を使用しないときには、ブレーキボタン８は、コイルばね９によって、第１のケース部材２側に付勢された状態でリールハブ５ａの内部に装着されており、ブレーキボタン８の制止用ギア８ａと、リールハブ５ａの制止用ギア５ａ１とが咬み合って、リール４の回転が防止されている。
一方、本発明の磁気テープカートリッジ１を使用するときには、前述したように、記録再生装置のドライブ解除スピンドル（図示せず）が、ブレーキボタン８を押圧することにより、ブレーキボタン８をコイルばね９の付勢力に抗して第２のケース部材３側へ移動させ、これにより、制止用ギア８ａと、制止用ギア５ａ１との係合が解除され、リール４が回転自在の状態とされる。
【００１８】
第１のケース部材２の壁部２ｂと、第２のケース部材３の壁部３ｂとを対向させて接合することによって隔壁Ｓｐ同士で形成される第１の収納部Ｓ１の一側壁には、磁気テープ１０を引き出すための開口部５０が形成されている。
開口部５０には、壁部３ｂに沿った方向の矢印Ｄに示す方向に移動可能なスライドドア５１が取り付けられている。スライドドア５１は、不図示のバネにより、開口部５０を閉じる方向に付勢されている。
【００１９】
また、磁気テープカートリッジ１の不使用時には、磁気テープ１０は完全にリール４に巻き込まれており、磁気テープ１０の端部に取り付けられたリーダピン１１（磁気テープカートリッジ１を使用する記録再生装置（図示せず）が、磁気テープ１０を当該記録再生装置内のテープ走行路に導入するための手段）は、開口部５０の近傍に形成された凹部５２に係止されている。
【００２０】
磁気テープカートリッジ１が、記録再生装置（図示せず）にセットされると、上述したように、ブレーキボタン８の制止用ギア８ａと、リールハブ５ａの制止用ギア５ａ１との係止が解除されて、リール４が回転自在とされるとともに、マグネット式の回転駆動手段が、リールプレート７と接合してリール４を回転させる。
その後、スライドドア５１が開かれて、リーダピン１１が、前記記録再生装置のテープ走行路の所定位置に引き込まれ、磁気テープ１０へのデータの読み書きが可能となる。
【００２１】
［第１のケース部材の構成］
第１のケース部材２は、具体的には、矩形をなす底面２ａと、該底面２ａの周縁部を囲繞するように立設された壁部２ｂとによって構成され、底面２ａには、壁部２ｂの内側に隔壁Ｓｐが形成されると共に、円形の開口部が形成されている。
なお、第１の収納部Ｓ１は、第１のケース部材２に隔壁Ｓｐをもって形成された領域Ｓ１１と、第２のケース部材３に隔壁Ｓｐをもって形成された領域Ｓ１２（図４参照）とによって形成される。
【００２２】
［非接触メモリ素子の構成］
図２は、ＭＩＣ１００の構成を示す図である。図２に示すように、ＭＩＣ１００は、矩形の板状部材からなり、ＭＩＣ１００自体に記録された情報の読み書きを、一方の面１００ａ側から電磁誘導等の手法により非接触で行うことができるものである。
そして、記録再生装置に設けられた読取手段が、ＭＩＣ１００に対して問題なく情報の読み書きを行うことができるように、ＭＩＣ１００は、一方の面１００ａが、第１のケース部材２の底面に対して所定の角度（例えば、４５°）をなすように支持部材２０（図３Ａ参照）によって保持される。
ここで、図２に示すように、ＭＩＣ１００において、一方の面１００ａの反対側の面を他方の面１００ｂとし、一方の面１００ａと、他方の面１００ｂとを連結する４つの面を、上端面１００ｃ、左端面１００ｄ、右端面１００ｅ、及び下端面１００ｆとする。
【００２３】
［非接触メモリ素子の一方の面の支持］
図３Ａは、図１におけるＡ−Ａ断面図（第２の収納部Ｓ２における断面図）である。また、図３Ｂは、第２の収納部Ｓ２における第１の支持部材２０の構成を示す斜視図であり、図３Ｃは、図３Ｂにおいて、第１の支持部材２０にＭＩＣ１００を載置したときの状態を示す斜視図である。
図３Ａ、及び図３Ｂに示すように、第２の収納部Ｓ２には、側面視で三角形状をなす板状の第１の支持部材２０が対をなして形成されている。
このように、第１の支持部材２０の斜面２０ａが、第１のケース部材２の底面２ａに対して仰角θ１に傾斜してなることによって、第１の支持部材２０の斜面２０ａに載置されたＭＩＣ１００の他方の面１００ｂが第１のケース部材２の底面２ａに対して所定の角度θ１に傾斜することとなり、結果として、一方の面１００ａが、第１のケース部材２の底面２ａに対して所定の角度θ１に傾斜して設置される形状をなしている。
なお、本実施形態において、前記所定の角度θ１を４５°としている。また、第１の支持部材２０は、その側面形状を、底面２ａの一部、壁部２ｂの一部、及び前記斜面２０ａから構成しているため、直角二等辺三角形状をなすこととなる。
【００２４】
また、第２の収納部Ｓ２には、所定の角度に傾斜して支持されたＭＩＣ１００の下端面１００ｆを支持する位置決め部材２１が、底面２ａから第２の収納部Ｓ２に向けて突出するように設置されている。
更に、図３Ｂに示すように、第２の収納部Ｓ２には、所定の角度に傾斜して支持されたＭＩＣ１００の左端面１００ｄ、及び右端面１００ｅを支持する位置決め部材２２が、底面２ａから第２の収納部Ｓ２に向けて突出するように設置されている。
即ち、位置決め部材２１は、傾斜して設置されたＭＩＣ１００の下端面１００ｆ部を支持することで、前記傾斜方向におけるＭＩＣ１００の位置決めを担う位置決め部材として機能し、位置決め部材２２は、傾斜して設置されたＭＩＣ１００の下端面１００ｆ部を支持することで、前記傾斜方向と直交する方向におけるＭＩＣ１００の位置決めを担う位置決め部材として機能している。
ここで、ＭＩＣ１００の下端面１００ｆは、第１の支持部材２０にＭＩＣ１００を載置したときに、底面２ａに最も近い面を指し、ＭＩＣ１００の左端面１００ｄ、及び右端面１００ｅは、下端面１００ｆ、及び第１の面１００ａに連結するＭＩＣ１００における両側端面を指す。
【００２５】
このようにしてＭＩＣ１００は、図３Ｃに示すように、他方の面１００ｂが第１の支持部材２０の斜面２０ａに当接することによって第１の支持部材２０に支持され、左端面１００ｄ、及び右端面１００ｅが位置決め部材２２によって支持され、下端面１００ｆが位置決め部材２１によって支持されることとなり、結果として、底面２ａに対して一方の面１００ａが所定の角度θ１をなすようにＭＩＣ１００が第１のケース部材２において固定されることとなる。
【００２６】
［第２のケース部材の構成］
図４は、第２のケース部材３の構成を示す斜視図である。図４に示すように、第２のケース部材３は、矩形をなす底部３ａと、該底部３ａの周縁部に立設された壁部３ｂとからなる。底面３ａには、壁部３ｂの内側に隔壁Ｓｐが形成されている。
第２のケース部材３には、第１のケース部材２と重ね合わせたときに、第１のケース部材２の領域Ｓ１１と共に、大の収納部Ｓ１を形成しうる領域Ｓ１２が形成され、第１のケース部材２の領域Ｓ２１と共に、第２の収納部Ｓ２を形成しうる領域Ｓ２２が形成されている。
また、第２のケース部材３の領域Ｓ１２には、第１のケース部材２と同様に、開口部５０が形成されている。
そして、第２のケース部材３の領域Ｓ２２には、底面３ａから板形状をなす第２の支持部材３０が立設されている。この第２の支持部材３０は、第１のケース部材２と、第２のケース部材３とを重ね合わせたときに、一方の面１００ａが第１の支持部材２０で支持されたＭＩＣ１００の他方の面１００ｂを支持する支持部材である。
【００２７】
［非接触メモリ素子の他方の面の支持］
図５Ａは、支持部材３０の構成を示す側面図であり、図５Ｂは、支持部材３０の構成を示す斜視図であり、図５Ｃは、支持部材３０と、該支持部材３０によって他方の面１００ｂが支持されるＭＩＣ１００との位置関係を示す側面図である。
図５Ａ、及び図５Ｂに示すように、ＭＩＣ１００の他方の面１００ｂを支持する第２の支持部材３０は、第２のケース部材３の壁部３ｂに向けて傾斜する第１の支持面３０ａ、及び第２の支持面３０ｂと、側面３０ｃ，３０ｃと、背面３０ｄとを有してなる。
第１の支持面３０ａは、背面３０ｄの頂部から壁部３ｂに向かって下り傾斜する支持面の一部であり、底面３ａに対して、角度θ１の俯角をなす。即ち、第１の支持面３０ａは、第１の支持部材２０の底面２ａに対する仰角θ１と同じ角度の俯角を底面３ａに対してなしている。
また、第２の支持面３０ｂも、背面３０ｄの頂部から壁部３ｂに向かって下り傾斜する支持面の一部であり、第２の支持面３０ｂが底面３ａに対してなす俯角θ２は、第１の面３０ａの俯角θ１よりも大に設定される。
【００２８】
また、図５Ａに示すように、第２の支持面３０ｂと、壁部３ｂとによって、溝部３ｃが形成されている。
また、支持面３０ｂは、複数形成されてもよい。壁部３ｂに対する第２の支持面３０ｂの接続位置を固定し、支持面３０ｂが複数形成される場合、第２の支持面３０ｂを構成する支持面が多くなればなるほど、壁部３ｂに接続される第２の支持面３０ｂにおける俯角が大きくなり、溝部３ｃの領域を拡大できるといった効果を奏する。
【００２９】
一方、図５Ｃに示すように、第２の支持部材３０において、背面３０ｄから屈曲部３１（支持面３０ａと支持面３０ｂとの境界）までの距離Ｌｆは、第１の支持面３０ａにＭＩＣ１００を載置したときのＭＩＣ１００の重心の位置から背面３０ｄまでの距離Ｌｇよりも小さく設定されている。
ここで、前記「第１の支持面３０ａにＭＩＣ１００を載置したとき」のＭＩＣ１００の位置とは、第１のケース部材２に設けられた位置決め部材２１，２２に当接するように、第１の支持部材２０にＭＩＣ１００を載置し、第１のケース部材２と、第２のケース部材３とを重ね合わせて仮接合し、第１の支持部材２０と、第２の支持部材３０とによってＭＩＣ１００を挟持させた後、仮接合された第１のケース部材２、及び第２のケース部材３を反転させたときのＭＩＣ１００の位置である。
【００３０】
第２の支持部材３０は、複数設けられてもよい。その場合の間隔、即ち、第２の支持部材３０の側面３０ｃ（図５Ｂ参照）同士の間隔は、特に制限はなく、目的に応じて適宜選択することができ、例えば、ＩＣ部を搭載しているＭＩＣの場合は、前記ＩＣ部を挟み込むような間隔に設定されることが好ましい。このように第２の支持部材３０，３０の間隔を設定することによって、支持部材３０，３０が前記ＩＣ部を保持することとなるので、当該ＩＣ部に衝撃が与えられること等による破損を低減することができる。
【００３１】
＜非接触メモリ素子の設置＞
図６Ａ〜Ｈは、本発明に係る磁気テープカートリッジの実施形態において、第１のケース部材２と、第２のケース部材３とが離間したときのＭＩＣの設置態様を示す図である。
まず、図６Ａに示すように、第１のケース部材２の底面２ａを下にした状態で、第１の支持部材２０の支持面（斜面）２０ａ（図３Ｂ参照）に一方の面１００ａが当接するように、ＭＩＣ１００を載置する。このとき、ＭＩＣ１００の下端面１００ｆは、位置決め部材２１によって斜面方向の移動が制限されるように支持される。また、図示はしないが、ＭＩＣ１００の左端面１００ｄ、及び右端面１００ｅは、位置決め部材２２によって斜面方向と直交する方向の移動が制限されるように支持される。
このようにして、ＭＩＣ１００は、その一方の面１００ａが底面２ａに対してθ１の角度をなすように設置される。
【００３２】
次に、図６Ｂに示すように、第１の支持部材２０にＭＩＣ１００が設置されることによって、一方の面１００ａが第１の支持部材２０に支持されたＭＩＣ１００の他方の面１００ｂを第２の支持部材３０が支持するように、第１のケース部材２と、第２のケース部材３とを仮接合する。
なお、本発明において、「仮接合」及び「接合」とは、第１のケース部材２の壁部２ｂの（上）端面と、第２のケース部材３の壁部３ｂの（上）端面とを当接することである。
このとき、第１の支持部材２０と、第２の支持部材３０の第１の支持面３０ａとの間隔が、内蔵するＭＩＣ１００の厚さと略同じ寸法となるように、第１の支持部材２０、及び第２の支持部材３０の第１の支持面３０ａの高さ寸法が設計されている。
【００３３】
図６Ｃに示すように、第１のケース部材２と、第２のケース部材３とを仮接合したとき、ＭＩＣ１００は、第１の支持部材２０と、第２の支持部材３０の第１の支持面３０ａとによって挟持されることとなる。
したがって、一方の端面１００ａが第１の支持部材２０に付勢され、他方の端面１００ｂが第２の支持部材３０に付勢され、左端面１００ｄ、及び右端面１００ｅが位置決め部材２２によって位置決めされ、及び下端面１００ｆが位置決め部材２１によって位置決めされることとなり、ＭＩＣ１００は、上端面１００ｃを除いた各端面が位置決めされることになる。
【００３４】
次に、仮接合された第１のケース部材２と、第２のケース部材３とをねじによって接合するために、仮接合された第１のケース部材２、及び第２のケース部材３を反転させる。
このとき、図６Ｄに示すように、弾性体（図示せず）の付勢力によって、第１のケース部材２の壁部２ｂの端面と、第２のケース部材３の壁部３ｂの端面とが離間してしまったと仮定すると、その離間した瞬間は、ＭＩＣ１００は、第２の支持部材３０の第１の支持面３０ａに載置された状態となる。
【００３５】
その後、図６Ｅに示すように、第１の支持面３０ａに載置されたＭＩＣ１００の重心は、第１の支持面３０ａと第２の支持面３０ｂとの境界（屈曲部３１）よりも壁部３ｂ側に位置するため、ＭＩＣ１００は屈曲部３１を軸にして前記重心が下がる方向に若干回転して、第２の支持面３０ｂを滑落し、図６Ｆに示すように、溝部３ｃに案内される。
即ち、第１のケース部材２の壁部２ｂの端面と、第２のケース部材３の壁部３ｂの端面とが離間してしまったとき、従来であれば、壁部２ｂの端面と、壁部３ｂの端面とが離間することによって形成された間隙からＭＩＣ１００が飛び出してしまうなどの問題や、壁部２ｂの端面と、壁部３ｂの端面との間にＭＩＣ１００が挟まってしまうなどの問題が生じる虞があったが、本発明に係る磁気テープカートリッジ１は、ＭＩＣ１００が溝部３ｃに案内されるので、ＭＩＣ１００を外部に出すことなく、一時的に溝部３ｃに収納しておくことが可能である。
【００３６】
次に、上端面１００ｃが壁部３ｂに接し、他方の面１００ｂが第２の支持面３０ｂに当接することによって、溝部３ｃに一部が収納される態様となったＭＩＣ１００は、作業者によって、再び壁部２ｂの端面と、壁部３ｂの端面との間に形成された間隙をなくすために、第２のケース部３の壁部３ｂの端面に、第１のケース部材２の壁部２ｂの端面を当接させたとき、図６Ｇに示すように、ＭＩＣ１００の他方の面１００ｂの一部が第２の支持部材３０の第２の支持面３０ｂに当接した状態から、第１の支持部材２０と、第２の支持部材３０の第１の支持面３０ａとに挟持されることとなる。
即ち、壁部２ｂの端面と、壁部３ｂの端面とが離間することによって、第２の支持部材３０の屈曲部３１においてバランスを崩したＭＩＣ１００は、外部へ離脱することなく、溝部３ｃに案内されて、壁部２ｂの端面と、壁部３ｂの端面とが再び接合されることで、図６Ｈに示すように、磁気テープカートリッジ１において、ＭＩＣ１００が適正な位置に設置されることとなる。
【００３７】
（他の実施形態）
本発明の他の実施形態として、図７に示すように、他方の面１００ｂが複数の俯角θ２，θ３で形成されてもよい。例えば、第２の支持部材３０に形成される支持面が、予め規定され、第１の支持部材２０が底面２ａに対してなす仰角θ１と略同じ俯角θ１を底面３ａに対してなす第１の支持面３０ａと、前記角度θ３よりも大の俯角θ３をなす支持面３０ｂ１と、前記角度θ２よりも大の俯角θ２をなす支持面３０ｂ２とが形成されていてもよい。
このように、第２の支持面３０ｂが複数の俯角を形成することによって、壁部３ｂに対する第２の支持面３０ｂの接続位置を固定し、第２の支持面３０ｂを構成する支持面が多くなればなるほど、壁部３ｂに接続される第２の支持面３０ｂにおける俯角が大きくなり、溝部３ｃの領域を拡大できるといった効果を奏する。
【００３８】
また、本発明の他の実施形態として、第２の支持面３０ｂの断面形状は、弧状や波形状をなしてもよい。
ここで、本発明における俯角θ２は、第１の支持面３０ａと、第２の支持面３０ｂとの境界部分である屈曲部３１と、第２の支持面３０ｂ、及び第２のケース部材３の壁部３ｂの接点とを結ぶ仮想線（図８〜１０中表示）が、第２のケース部材３の底面３ａに対してなす角度を意味している。
したがって、本発明の第２の支持面３０ｂの断面形状は、第１の支持面３０ａの俯角θ１に対して第２の支持面の俯角θ２が大である条件を満たしていれば、特に制限されることはなく、目的に応じて適宜選択される。
【００３９】
以上説明したように、本発明に係る磁気テープカートリッジ用ケース、及び磁気テープカートリッジによれば、従来における諸問題を解決でき、第１のケース部材２と、第２のケース部材３とが離間した場合でも、第２の支持部材３０に形成された第１の支持面３０ａと、第２の支持面３０ｂとにより、メモリ素子１００を一時的に溝部３ｃに収納し、再び、第１のケース部材２と第２のケース部材３とを接合したとき（第１のケース部材２と、第２のケース部材３との離間が略なくなったとき）には、第１の支持部材２と、第２の支持部材３とでメモリ素子１００を規定された角度で再び挟持し、メモリ素子１００を規定の位置に維持することができる。
【産業上の利用可能性】
【００４０】
本発明の磁気テープカートリッジ用ケース、及び磁気テープカートリッジは、第１のケース部材と、第２のケース部材とが離間した場合でも、内蔵されたメモリ素子を適正な位置に維持するために、一方の支持部材の形状を複数の支持面を有する形状とし、溝部を形成したので、従来の磁気テープカートリッジの支持部材の形状を改良することで実現でき、コストも削減することができる。
【図面の簡単な説明】
【００４１】
【図１】図１は、本発明の一実施形態における磁気テープカートリッジの構成を示す分解斜視図である。
【図２】図２は、本発明の一実施形態におけるＭＩＣの構成を示す図である。
【図３Ａ】図３Ａは、本発明の一実施形態における支持部材の構成を示す断面図である。
【図３Ｂ】図３Ｂは、本発明の一実施形態における支持部材の構成を示す斜視図である。
【図３Ｃ】図３Ｃは、本発明の一実施形態における支持部材の構成を示す斜視図である。
【図４】図４は、本発明の一実施形態における第２のケース部材の構成を示す斜視図である。
【図５Ａ】図５Ａは、本発明の一実施形態における押さえ部材の構成を示す断面図である。
【図５Ｂ】図５Ｂは、本発明の一実施形態における押さえ部材の構成を示す斜視図である。
【図５Ｃ】図５Ｃは、本発明の一実施形態における押さえ部材の構成を示す断面図である。
【図６Ａ】図６Ａは、本発明の一実施形態におけるＭＩＣの設置態様を示す断面図である。
【図６Ｂ】図６Ｂは、本発明の一実施形態におけるＭＩＣの設置態様を示す断面図である。
【図６Ｃ】図６Ｃは、本発明の一実施形態におけるＭＩＣの設置態様を示す断面図である。
【図６Ｄ】図６Ｄは、本発明の一実施形態におけるＭＩＣの設置態様を示す断面図である。
【図６Ｅ】図６Ｅは、本発明の一実施形態におけるＭＩＣの設置態様を示す断面図である。
【図６Ｆ】図６Ｆは、本発明の一実施形態におけるＭＩＣの設置態様を示す断面図である。
【図６Ｇ】図６Ｇは、本発明の一実施形態におけるＭＩＣの設置態様を示す断面図である。
【図６Ｈ】図６Ｈは、本発明の一実施形態におけるＭＩＣの設置態様を示す断面図である。
【図７】図７は、本発明の他の実施形態における第２の支持部材の構成を示す図である。
【図８】図８は、本発明の他の実施形態における第２の支持部材の構成を示す図である。
【図９】図９は、本発明の他の実施形態における第２の支持部材の構成を示す図である。
【図１０】図１０は、本発明の他の実施形態における第２の支持部材の構成を示す図である。
【符号の説明】
【００４２】
１      磁気テープカートリッジ
２      第１のケース部材
３      第２のケース部材
４      リール
５      第１のリール部材（下リール部材）
６      第２のリール部材（上リール部材）
７      リールプレート
８      ブレーキボタン
９      コイルばね
１０    磁気テープ
１１    リーダピン
２０    第１の支持部材
２１    位置決め部材
２２    位置決め部材
３０    第２の支持部材
３１    屈曲部
５０    開口部
５１    スライドドア
５２    凹部
１００  ＭＩＣ
Ｓ１  第１の収納部
Ｓ２  第２の収納部
【図１】
2008117478.tif 000003
【図２】
2008117478.tif 000004
【図３Ａ】
2008117478.tif 000005
【図３Ｂ】
2008117478.tif 000006
【図３Ｃ】
2008117478.tif 000007
【図４】
2008117478.tif 000008
【図５Ａ】
2008117478.tif 000009
【図５Ｂ】
2008117478.tif 000010
【図５Ｃ】
2008117478.tif 000011
【図６Ａ】
2008117478.tif 000012
【図６Ｂ】
2008117478.tif 000013
【図６Ｃ】
2008117478.tif 000014
【図６Ｄ】
2008117478.tif 000015
【図６Ｅ】
2008117478.tif 000016
【図６Ｆ】
2008117478.tif 000017
【図６Ｇ】
2008117478.tif 000018
【図６Ｈ】
2008117478.tif 000019
【図７】
2008117478.tif 000020
【図８】
2008117478.tif 000021
【図９】
2008117478.tif 000022
【図１０】
2008117478.tif 000023